(57)【要約】【課題】視認性が向上するドアスイッチを提供する。【解決手段】このドアスイッチは、アクチュエータとセンサとを備える。また、このドアスイッチは、ドアが閉じた時に、センサの表面とアクチュエータの対向面とが当接または近接し、ドアが開いた時に、センサの表面とアクチュエータの対向面とが離れるように取り付けられている。アクチュエータは、検出用信号を出力する。センサの表面には、検出用信号の受信状態を表す表示部が形成されている。センサの表面は、受信状態において、表示部の少なくとも一部がアクチュエータの対向面に対向しない非対向領域を有する。【選択図】図１
2019139877.tif 000002
【特許請求の範囲】
【請求項１】
アクチュエータと、センサと、を備え、
ドアが閉じた時に、前記センサの表面と、前記アクチュエータの対向面とが当接または近接し、
前記ドアが開いた時に、前記センサの表面と、前記アクチュエータの対向面とが離れるように取り付けるドアスイッチであって、
前記アクチュエータは、検出用信号を出力し、
前記センサの表面には、前記検出用信号の受信状態を表す表示部が形成されており、
前記センサの表面は、前記受信状態において、前記表示部の少なくとも一部が、前記アクチュエータの対向面に対向しない非対向領域を有する、
ドアスイッチ。
【請求項２】
前記表示部は、
前記センサの表面の少なくとも外縁に沿って環状に形成されている、
請求項１に記載のドアスイッチ。
【請求項３】
前記センサは、光源部を内部に備え、
前記表示部は、前記光源部の光を導光する、
請求項１または請求項２に記載のドアスイッチ。
【請求項４】
前記センサは、
前記光源部の光を前記表示部に導光する、導光部を備える、
請求項３に記載のドアスイッチ。
【請求項５】
前記センサは、
前記光源部、または、前記導光部の前記表示部側に、前記光源部の光が外部へ拡散することを防止するためのカバー部を備える、
請求項４に記載のドアスイッチ。
【請求項６】
前記センサは、
前記カバー部の背面側に、反射部を備える、
請求項５に記載のドアスイッチ。
【請求項７】
前記表示部は、樹脂で形成されている、請求項１乃至請求項６のいずれかに記載のドアスイッチ。
【請求項８】
前記カバー部は、樹脂で形成されている、請求項５または請求項６に記載のドアスイッチ。
【発明の詳細な説明】
【技術分野】
【０００１】
この発明は、ドアスイッチの視認性を向上させる構造を提供するための技術に関する。
【背景技術】
【０００２】
特許文献１に記載の構成においては、スイッチおよびスイッチユニットの外周を発光させることによって、視認性を向上させている。
【０００３】
特許文献２に記載の構成におけるスイッチは、機器の構成における複数の部分において、発光する部分を備え、視認性を向上させている。
【先行技術文献】
【特許文献】
【０００４】
【特許文献１】特開２０１７−９８１１１号公報
【特許文献２】欧州公開特許１４１９２９９５号
【発明の概要】
【発明が解決しようとする課題】
【０００５】
しかしながら、特許文献１、特許文献２の構成を用いた場合、センサ部分と組み合わせて使用する、信号送信機器（例えば、アクチュエータ等）の大きさや、形状、取り付け位置によっては、発光する部分が隠れてしまい、視認性を向上することが難しい虞がある。
【０００６】
また、特にドアスイッチで用いられる場合、通常、センサと、信号送信機器とは、正常状態によって対向する。この場合、センサの一部に発光する箇所があったとしても、当該箇所が信号送信機器によって隠されてしまい、視認性を向上することが難しい。
【０００７】
したがって、本発明の目的は、発光状態の視認性を向上するドアスイッチを提供することである。
【課題を解決するための手段】
【０００８】
このドアスイッチは、アクチュエータとセンサとを備える。また、このドアスイッチは、ドアが閉じた時に、センサの表面とアクチュエータの対向面とが当接または近接し、ドアが開いた時に、センサの表面とアクチュエータの対向面とが離れるように取り付けられている。
【０００９】
アクチュエータは、検出用信号を出力する。センサの表面には、検出用信号の受信状態を表す表示部が形成されている。センサの表面は、受信状態において、表示部の少なくとも一部がアクチュエータの対向面に対向しない非対向領域を有する。
【００１０】
この構成では、センサの表示部が、アクチュエータと対向するように配置されている場合でも、表示部がアクチュエータと重ならない部分が存在する。このことから、ドアの対向状態に関する表示部の視認性は向上する。したがって、作業者は、どの方向からでもセンサの状態を確認することができる。
【００１１】
このドアスイッチにおける、表示部は、センサの表面の少なくとも外縁に沿って環状に形成されていても良い。
【００１２】
この構成では、センサに対する、アクチュエータの取り付け位置に自由度を持たせることができる。このことから、作業者は、どの位置からでもセンサの状態を確認することが容易になる。
【００１３】
このドアスイッチにおけるセンサは、光源部を備えていることが好ましい。また、表示部は、光源部の光を導光することが好ましい。
【００１４】
この構成では、光源の光が導光されることによって、表示部の視認性をさらに向上する。
【００１５】
このドアスイッチにおけるセンサは、光源部の光を表示部に導光する、導光部を備えていることが好ましい。
【００１６】
この構成では、光源部が点光源である場合でも、導光部によって、光を拡散でき、表示部を均等に発光させることができる。
【００１７】
このドアスイッチにおけるセンサは、光源部、または、導光部の表示部側に、光源部の光が外部へ拡散することを防止するためのカバー部を備えていることが好ましい。
【００１８】
この構成では、光源部が点光源である場合でも、カバー部によって、局所的に明るくなる部分を隠し、発光の斑を抑制できる。
【００１９】
このドアスイッチにおけるセンサは、カバー部の背面側に、反射部を備えていることが好ましい。
【００２０】
この構成であっても、光源部が点光源は、光をさらに拡散でき、表示部を均等に発光させることができる。
【００２１】
このドアスイッチにおける表示部は、樹脂で形成されていることが好ましい。
【００２２】
この構成であれば、製造が容易である。
【００２３】
このドアスイッチにおけるカバー部は、樹脂で形成されていることが好ましい。
【００２４】
この構成であれば、製造が容易である。
【発明の効果】
【００２５】
この発明によれば、発光状態の視認性が向上するドアスイッチを提供することができる。
【図面の簡単な説明】
【００２６】
【図１】本発明の第１の実施形態に係るドアスイッチの斜視図である。
【図２】本発明の第１の実施形態に係るセンサの分解図である。
【図３】本発明の第１の実施形態に係るドアスイッチの側面概要図である。
【図４】本発明の第１の実施形態に係るセンサの分解図である。
【図５】本発明の第２の実施形態に係るセンサの一部の分解図である。
【００２７】
・適用例  
まず、図１を用いて、本発明が適用される一例について説明する。図１は、第１の実施形態に係るドアスイッチの概要図である。
【００２８】
図１に示すように、ドアスイッチ１は、センサ１０と、アクチュエータ２０とを備える。センサ１０には、配線部３０が接続されており、センサ１０で受信した信号を他の機器に送信する。配線部３０は、例えば、コネクタやケーブル等である。なお、ドアスイッチ１の短手方向を第１方向とし、ドアスイッチの長手方向を第２方向とする。また、ドアスイッチ１における、第１方向と、第２方向とに直交する方向を第３方向とする。
【００２９】
まず、センサ１０の構成について説明する。センサ１０は、表示部１１０と、背面表示部１２０と、センサ筐体１４０で構成されている。センサ１０は、表面Ｓ１と、裏面Ｂ１と、表面Ｓ１と裏面Ｂ１とを連接する側面で構成されている。
【００３０】
なお、表面Ｓ１と、裏面Ｂ１とを連接する側面のうち、配線部３０が接続されている面に対向する面を天面Ｔ１とする。
【００３１】
表示部１１０は、センサ筐体１４０の表面Ｓ１に形成されている。背面表示部１２０は、センサ筐体１４０の裏面Ｂ１の略中央位置に形成されている。
【００３２】
次に、アクチュエータ２０の構成について説明する。アクチュエータ２０は、表面Ｓ２と、裏面Ｂ２と、表面Ｓ２と裏面Ｂ２とを連接する側面で構成されている。アクチュエータ２０の表面Ｓ２が、本発明における「アクチュエータの対向面」である。
【００３３】
なお、表面Ｓ２と、裏面Ｂ２とを連接する側面のうち、センサ１０の天面Ｔ１側の面を天面Ｔ２とする。
【００３４】
より具体的に、センサ１０と、アクチュエータ２０との関係についての一例について、以下に示す。
【００３５】
センサ１０は、図示しないＲＦＩＤアンテナを内部に備えている。また、アクチュエータ２０は、図示しないパッシブＩＣタグを内部に備えている。
【００３６】
ＲＦＩＤアンテナは、パッシブＩＣタグに対し、電波を送信し、パッシブＩＣタグから電波を受信する。このことによって、センサ１０とアクチュエータ２０との対向状態を得ることができる。
【００３７】
上述はパッシブＲＦＩＤを一例として示したが、アクティブＲＦＩＤを代わりに用いても良い。また、ＲＦＩＤを一例として示したが、ＲＦＩＤに限定されず、対向状態を得られる構成であれば良い。
【００３８】
なお、表示部１１０は、ドアスイッチ１の対向状態に応じて、発光する。例えば、ドアが開いている状態では、赤色に発光し、ドアが閉じている状態を示す場合には、緑色に発光する。
【００３９】
次に、表面Ｓ１の面積ＳＲ１と、表面Ｓ２の面積ＳＲ２とを比較する。面積ＳＲ１は、面積ＳＲ２よりも大きい。したがって、センサ１０に、アクチュエータ２０が対向していない領域（本発明における非対向領域Ｒ１）が存在する。
【００４０】
非対向領域Ｒ１と、面積ＳＲ１と、面積ＳＲ２との関係式は、ＳＲ１＝Ｒ１＋ＳＲ２で表される。表示部１１０は、少なくとも非対向領域Ｒ１の一部を含むように配置されている。これにより、利用者は、非対向領域Ｒ１において、表示部１１０を視認できる。
【００４１】
上述のとおり、センサ１０と、アクチュエータ２０の対向距離によって、対向状態を検知することができる。
【００４２】
このことから、表示部１１０の非対向領域Ｒ１の発光状態によって、ドアスイッチ１の対向状態を容易に認識できることによって、視認性が向上する。これにより、ドアの閉状態を確実に視認できる。一方、ドアの開状態でも、表示部１１０の少なくとも一部が確実に視認できる。したがって、ドアの開閉を確実に認識できる。
【００４３】
・構成例１  
図１は、上述のとおり、本発明の第１の実施形態に係るドアスイッチの斜視図である。図２は、本発明の第１の実施形態に係るセンサの分解図である。図３は、本発明の第１の実施形態に係るドアスイッチの側面概要図である。図４は、本発明の第１の実施形態に係るセンサの分解図である。
【００４４】
上述の図１の機能構成に基づき、図２を用いて、より具体的な構成例を説明する。図２は、センサ１０の一部の構成を分解して示した図である。図２においては、センサ１０の主要部分のみを示したものであり、一部の構成を省略して示している。
【００４５】
センサ１０は、表示部１１０と、基板１３０、センサ筐体１４０で形成されている。また、表示部１１０と、基板１３０が当接するように形成されている。センサ筐体１４０は、該基板１３０を、覆っており、その表面に表示部１１０が配置されている。
【００４６】
表示部１１０の形状は、センサ１０の表面Ｓ１の外縁に沿って環状に形成されている。言い換えれば、表示部１１０は、中央に空間Ｈ１を有する構造である。空間Ｈ１内には、少なくとも１つの間接光源１１５が形成されている。空間Ｈ１の形状は、矩形であっても、楕円形であってもよく、間接光源１１５が形成可能な大きさ、形状であるとし、限定されない。間接光源１１５は、導光部材１１６によって、表示部１１０に繋がっている。本発明における導光部は、間接光源１１５と、導光部材１１６とからなる構造である。
【００４７】
本発明における、間接光源１１５とは、発光する機能を有さず、自身以外の外部から得られた光を拡散させる機能を有する。
【００４８】
表示部１１０、間接光源１１５、導光部材１１６は、半透明の材料からなる。表示部１１０、および、間接光源１１５、導光部材１１６は、例えば、樹脂を材料としている。このことから、製造を容易にでき、安価に製造できる。また、表示部１１０、間接光源１１５、導光部材１１６を容易に一体形成できる。
【００４９】
基板１３０は、表示部１１０に当接する側に、少なくとも１つの光源１３５が配置されている。基板１３０は、リジッドな形状、もしくは、フレキシブルな形状である。光源１３５は、点光源であり、例えばＬＥＤである。光源１３５がＬＥＤであることによって、比較的安価に光源１３５を構成することができ、消費電力を抑えることができる。
【００５０】
センサ筐体１４０は、略中央にあたる位置に背面表示部１２０を備えている。なお、背面表示部１２０は、裏面Ｂ１に形成されていれば良く、形成位置は限定されない。
【００５１】
上述のとおり、表示部１１０は、平面視して基板１３０に重なるように形成されている。さらに、間接光源１１５と、光源１３５とが、それぞれ当接するように形成されていることが好ましい。この構成とすることで、光源１３５からの光が、間接光源１１５に直接入り、間接光源１１５、導光部材１１６を介して、表示部１１０に光を拡散することができる。これにより、導光の効率が向上する。
【００５２】
センサ１０と、アクチュエータ２０が当接する詳細な位置関係について、図３を用いて説明する。図３は、センサ１０を天面Ｔ１側から平面視した、ドアスイッチ１の側面の概要を示した図である。
【００５３】
センサ１０の表面Ｓ１と、アクチュエータ２０の表面Ｓ２とは、当接するように配置されている。すなわち、アクチュエータ２０は、センサ１０の第２方向側に配置されている。また、センサ１０の表面Ｓ１側には、表示部１１０が形成されているため、表示部１１０と、アクチュエータ２０の表面Ｓ２が当接している。
【００５４】
センサ１０の表示部１１０の第１方向の長さをｄ１とする。同様に、アクチュエータ２０の第１方向の長さをｄ２とする。例えば、長さｄ１と、長さｄ２の大小関係は、ｄ１＞ｄ２と定義できる。
【００５５】
これにより、例えば、センサ１０を固定し、アクチュエータ２０が表示部１１０の第１方向のいずれの位置に当接したとしても、表示部１１０を視認することが容易である。
【００５６】
図２で示したとおり、表示部１１０は、センサ１０の外縁を覆うように形成されているため、表示部１１０が発光することによって、ドアスイッチ１の対向状態を容易に判断することができる。
【００５７】
また、一般的なドアスイッチにおいては、図２のようにセンサ１０とアクチュエータ２０が１側面で面一に配置されている。この場合にも、上述の構成によって、表示部１１０の視認性を向上できる。これにより、表示部１１０の視認性が良いドアスイッチ１をドアの所望位置に正確に配置しやすい。
【００５８】
図１に示したように、センサ１０の天面Ｔ１と、アクチュエータ２０の天面Ｔ２を面一になるように配置した例を示したが、センサ１０がアクチュエータ２０からの対向状態を検知できる位置に配置されていれば良い。すなわち、配置位置、および、向きは限定されない。
【００５９】
なお、センサ１０の表面Ｓ１と、アクチュエータ２０の表面Ｓ２とが、当接可能なように配置されている場合、すなわち、表面Ｓ１と表面Ｓ２との間の距離が規定範囲内である場合、センサ１０とアクチュエータ２０とは、対向状態である。このとき、ドアスイッチ１は、閉状態である。
【００６０】
また、センサ１０の表面Ｓ１と、アクチュエータ２０の表面Ｓ２との間の距離が規定範囲外である場合、センサ１０とアクチュエータ２０とは、非対向状態である。このとき、ドアスイッチ１は、開状態である。
【００６１】
本発明における、視認性を向上させる必要がある状態は、上述の開状態である。例えば、センサ１０にアクチュエータ２０の一部が重なる状態である場合、開状態であるか、閉状態であるかを判断し難い。
【００６２】
しかしながら、上述の構成を用いることにより、表示部１１０の非対向領域Ｒ１の発光状態によって、ドアスイッチ１の対向状態を容易に認識でき、視認性が向上する。これにより、ドアの閉状態を確実に視認できる。一方、ドアの開状態でも、表示部１１０の少なくとも一部が確実に視認できる。したがって、ドアの開閉を確実に認識できる。
【００６３】
図４を用いて、センサ１０の表示部１１０において、視認性をさらに、向上させるための発光構造について説明する。図４に示すように、間接光源１１５が形成されている空間Ｈ１は、カバー部１５０で覆われている。カバー部１５０は、少なくとも空間Ｈ１を覆う形状であれば良い。
【００６４】
なお、カバー部１５０は、例えば不透明樹脂を材料とし、形成されていれば良い。
【００６５】
光源１３５からの光は、間接光源１１５において、最も強い。この光は、カバー部１５０の裏面によって拡散、吸収される。カバー部１５０で拡散された光は、表示部１１０に導光される。また、カバー部１５０を設けることによって、間接光源１１５が集約した光の強い光点を隠すことができるという効果を奏する。このことによって、センサ１０の表面Ｓ１の輝度の斑は抑制され、表示部１１０は均一に発光し、照度が向上する。
【００６６】
・構成例２  
次に、図５を用いて、第２の実施形態に係るドアスイッチの概要について説明する。図５は、本発明の第２の実施形態に係るセンサの一部の分解図である。
【００６７】
第２の実施形態においては、第１の実施形態と比較して、センサ１０Ａが反射部１６０を備えている点、空間Ｈ２の形状、間接光源を備えていない点において異なる。その他の点については、第１の実施形態と同様であり、同様の箇所の説明は省略する。
【００６８】
センサ１０Ａは、空間Ｈ２を備えている。空間Ｈ２内には、反射部１６０が嵌めこまれている、すなわち、反射部１６０は、空間Ｈ２内に含まれている。
【００６９】
なお、空間Ｈ２の形状は、矩形であっても、楕円形であってもよく、反射部１６０が形成可能な大きさ、形状であれば良い。
【００７０】
よって、図５においては図示を省略している、光源１３５からの光を反射部１６０が反射し、反射光が、表示部１１０に導光される。
【００７１】
これにより、表示部１１０は、均一に発光し、照度を向上させることができる。
【００７２】
このような構成であっても、表示部１１０の非対向領域Ｒ１の発光状態によって、ドアスイッチ１の対向状態を容易に認識できることによって、視認性が向上する。これにより、ドアの閉状態を確実に視認できる。一方、ドアの開状態でも、表示部１１０の少なくとも一部が確実に視認できる。したがって、ドアの開閉を確実に認識できる。
【００７３】
なお、本実施形態において、間接光源を設けない構造を用いて説明した。しかしながら、間接光源を備えた構造であっても、同様の効果を得られる。
【符号の説明】
【００７４】
Ｂ１、Ｂ２…裏面
ｄ１、ｄ２…長さ
Ｈ１、Ｈ２…空間
Ｒ１…非対向領域
Ｓ１、Ｓ２…表面
ＳＲ１、ＳＲ２…面積
１…ドアスイッチ
１０、１０Ａ…センサ
２０…アクチュエータ
３０…配線部
１１０…表示部
１１５…間接光源
１１６…導光部材
１２０…背面表示部
１３０…基板
１３０、１３５…光源
１４０…センサ筐体
１５０…カバー部
１６０…反射部
【図１】
2019139877.tif 000003
【図２】
2019139877.tif 000004
【図３】
2019139877.tif 000005
【図４】
2019139877.tif 000006
【図５】
2019139877.tif 000007